(57)【要約】【課題】簡単な構成で操作性に優れ、例えば胃食道逆流の検査を正確かつ迅速に行うことができる検査器具を提供すること。【解決手段】検査器具１は、胃の内容物Ｑ１と反応する成分が担持された担持体２と、担持体２を収納するケーシング３とを備える。ケーシング３は、ケーシング３内に内容物Ｑ１が流入する流入口４２を有する第１部材４と、流入口４２から流入して、前記成分と反応した内容物Ｑ１がケーシング３内から流出する流出口５２を有し、第１部材４と組み立てられる第２部材５とを備える。そして、第２部材５は、溝が構成され、内容物Ｑ１が流入口４２から流出口５２に到る間に、担持体２に接しつつ迂回する迂回路５６を有する。【選択図】図３
2020048781.tif 000002
【特許請求の範囲】
【請求項１】
胃の内容物と反応する成分が担持された担持体と、
前記担持体を収納するケーシングとを備え、
前記ケーシングは、該ケーシング内に前記内容物が流入する流入口を有する第１部材と、
前記流入口から流入して、前記成分と反応した前記内容物が前記ケーシング内から流出する流出口を有し、前記第１部材と組み立てられる第２部材とを備え、
前記第１部材および前記第２部材のうちの少なくとも一方の部材は、溝が構成され、前記内容物が前記流入口から前記流出口に到る間に前記担持体に接しつつ迂回する迂回路を有することを特徴とする検査器具。
【請求項２】
当該検査器具は、偏平形状をなし、
前記迂回路は、当該検査器具の平面視で、渦巻き状をなす請求項１に記載の検査器具。
【請求項３】
当該検査器具は、偏平形状をなし、
前記迂回路は、当該検査器具の平面視で、蛇行した形状をなす請求項１に記載の検査器具。
【請求項４】
前記流入口は、管状に突出形成され、
前記流出口は、管状に突出形成され、前記流入口の中心軸とズレて配置されている請求項１ないし３のいずれか１項に記載の検査器具。
【請求項５】
前記担持体は、貫通して形成され、前記迂回路と連通する貫通孔を有する請求項１ないし４のいずれか１項に記載の検査器具。
【請求項６】
前記迂回路は、前記第２部材に形成され、前記貫通孔を介して前記流入口と連通する請求項５に記載の検査器具。
【請求項７】
前記第１部材および前記第２部材のうちの少なくとも一方の部材は、前記貫通孔に係合し、前記ケーシング内での前記担持体の位置を規制する位置決め部を有する請求項５または６に記載の検査器具。
【請求項８】
前記第１部材および前記第２部材のうち、少なくとも前記迂回路を有する方の部材は、内部の視認性を有する請求項１ないし７のいずれか１項に記載の検査器具。
【請求項９】
前記流入口には、可撓性を有するチューブを接続し、前記流出口には、吸引器を接続して用いられる請求項１ないし８のいずれか１項に記載の検査器具。
【請求項１０】
前記成分は、前記内容物として、栄養剤に含まれる糖分と反応するものを含んでいる請求項１ないし９のいずれか１項に記載の検査器具。
【発明の詳細な説明】
【技術分野】
【０００１】
本発明は、検査器具に関する。
【背景技術】
【０００２】
近年、胃酸（胃液）を比較的多く含む胃の内容物が食道内に逆流して起こる病態、すなわち、胃食道逆流症（Gastro Esophageal Reflux Disease：GERD）が知られている。また、この胃食道逆流症に伴う合併症として、逆流性肺炎がある。「逆流性肺炎」とは、例えば夜間睡眠中に、胃食道逆流により胃の内容物を誤嚥して、気管内で細菌が増殖し、肺炎が生じる病態を言う。そこで、胃食道逆流を早期に発見することが望まれる。
【０００３】
胃食道逆流を判定する方法としては、例えば、以下の方法が一般的に行なわれている。
・自覚症状を問診する方法（非特許文献１参照）
・内視鏡を用いた方法（非特許文献１参照）
・食道内ｐＨモニタリングによる方法（非特許文献１参照）
・尿糖試験紙を用いた方法（非特許文献２参照）
【０００４】
しかしながら、これらの方法は、いずれも、例えば、判定結果を得るのに時間がかかったり、判定に用いる装置が大掛かりで操作が煩雑となったりするという問題があった。
【先行技術文献】
【非特許文献】
【０００５】
【非特許文献１】日本消化器病学会編、「胃食道逆流症（ＧＥＲＤ）診療ガイドライン２０１５」、改訂第２版、南江堂、２０１５年１０月２０日、p.32-33
【非特許文献２】清水淳子、坪田経子、泉俊昌著、「胃食道逆流判定を用いたｓｔｅｐ−ｕｐ方式による半固形化栄養剤の選択の試み」、新田塚医療福祉センター雑誌、vol.７ No.1、２０１０年３月３１日、p.35-39
【発明の概要】
【発明が解決しようとする課題】
【０００６】
本発明の目的は、簡単な構成で操作性に優れ、例えば胃食道逆流の検査を正確かつ迅速に行うことができる検査器具を提供することにある。
【課題を解決するための手段】
【０００７】
このような目的は、下記（１）〜（１０）の本発明により達成される。
（１）  胃の内容物と反応する成分が担持された担持体と、
前記担持体を収納するケーシングとを備え、
前記ケーシングは、該ケーシング内に前記内容物が流入する流入口を有する第１部材と、
前記流入口から流入して、前記成分と反応した前記内容物が前記ケーシング内から流出する流出口を有し、前記第１部材と組み立てられる第２部材とを備え、
前記第１部材および前記第２部材のうちの少なくとも一方の部材は、溝が構成され、前記内容物が前記流入口から前記流出口に到る間に前記担持体に接しつつ迂回する迂回路を有することを特徴とする検査器具。
【０００８】
（２）  当該検査器具は、偏平形状をなし、
前記迂回路は、当該検査器具の平面視で、渦巻き状をなす上記（１）に記載の検査器具。
【０００９】
（３）  当該検査器具は、偏平形状をなし、
前記迂回路は、当該検査器具の平面視で、蛇行した形状をなす上記（１）に記載の検査器具。
【００１０】
（４）  前記流入口は、管状に突出形成され、
前記流出口は、管状に突出形成され、前記流入口の中心軸とズレて配置されている上記（１）ないし（３）のいずれかに記載の検査器具。
【００１１】
（５）  前記担持体は、貫通して形成され、前記迂回路と連通する貫通孔を有する上記（１）ないし（４）のいずれかに記載の検査器具。
【００１２】
（６）  前記迂回路は、前記第２部材に形成され、前記貫通孔を介して前記流入口と連通する上記（５）に記載の検査器具。
【００１３】
（７）  前記第１部材および前記第２部材のうちの少なくとも一方の部材は、前記貫通孔に係合し、前記ケーシング内での前記担持体の位置を規制する位置決め部を有する上記（５）または（６）に記載の検査器具。
【００１４】
（８）  前記第１部材および前記第２部材のうち、少なくとも前記迂回路を有する方の部材は、内部の視認性を有する上記（１）ないし（７）のいずれかに記載の検査器具。
【００１５】
（９）  前記流入口には、可撓性を有するチューブを接続し、前記流出口には、吸引器を接続して用いられる上記（１）ないし（８）のいずれかに記載の検査器具。
【００１６】
（１０）  前記成分は、前記内容物として、栄養剤に含まれる糖分と反応するものを含んでいる上記（１）ないし（９）のいずれかに記載の検査器具。
【発明の効果】
【００１７】
本発明によれば、検査器具は、一例として、検査器具の流入口にカテーテル（チューブ）を接続して、流出口に吸引器を接続して用いることができる。このように、検査器具は、従来からある他の医療器具を接続して用いるという簡単な構成のものとなっている。この場合の検査器具は、例えば、痰吸引を兼ねて、逆流性肺炎の検査を正確かつ迅速に行なうことができる。そして、この検査結果は、胃食道逆流の早期発見につながる。
【００１８】
特に、検査器具では、迂回路により、患者の胃からの内容物と担持体との接触面積および接触時間を十分に確保することができる。これにより、担持体が内容物に十分に反応して、その反応状態を前記検査結果として正確に確認することができる。
【図面の簡単な説明】
【００１９】
【図１】図１は、本発明の検査器具（第１実施形態）の使用状態を示す図である。
【図２】図２は、図１に示す検査器具の縦断面図である。
【図３】図３は、図１に示す検査器具の分解斜視図である。
【図４】図４は、図１に示す検査器具が備える第２部材を内側から見た概略平面図である。
【図５】図５は、本発明の検査器具（第２実施形態）が備える第２部材を内側から見た概略平面図である。
【発明を実施するための形態】
【００２０】
以下、本発明の検査器具を添付図面に示す好適な実施形態に基づいて詳細に説明する。
＜第１実施形態＞
図１は、本発明の検査器具（第１実施形態）の使用状態を示す図である。図２は、図１に示す検査器具の縦断面図である。図３は、図１に示す検査器具の分解斜視図である。図４は、図１に示す検査器具が備える第２部材を内側から見た概略平面図である。なお、以下では、説明の都合上、図１中の右側を「基端」、左側を「先端」と言い、図２および図３中の上側を「基端」または「上」、下側を「先端」または「下」と言う。
【００２１】
図１に示すように、検査器具１は、胃の内容物Ｑ１およびその由来物Ｑ２のうちの少なくとも一方と反応する成分が担持された担持体２と、担持体２を収納するケーシング３とを備え、全体としての形状が偏平形状をなす。なお、本明細書での「平面視」とは、偏平形状をなす検査器具１の平面視でのことを言う。
【００２２】
ところで、患者Ｐは、本実施形態では、一例として、胃瘻により栄養剤が投与された患者となっている。この患者Ｐが、胃酸（胃液）を比較的多く含む胃の内容物Ｑ１が食道内に逆流して起こる病態、すなわち、胃食道逆流症（Gastro Esophageal Reflux Disease：GERD）を発症している場合、胃食道逆流症に伴う合併症として、逆流性肺炎のおそれがある。「逆流性肺炎」とは、胃食道逆流により胃の内容物Ｑ１を誤嚥して、口腔内等の細菌が気道に多数混入、増殖し、その結果、肺炎が生じる病態のことである。また、気道に異物が混入すると痰が発生するため、患者Ｐに対しては、痰を定期的に除去するのが好ましい。そこで、患者Ｐに対して痰吸引を行なう際に、検査器具１をカテーテル８と吸引器９の間に接続することにより、通常の痰吸引時と同内容の操作を行うことで、胃食道逆流の検査を行うことができる。
【００２３】
まず、カテーテル８について説明する。図１に示すように、カテーテル８は、カテーテル本体であるカテーテルチューブ８１と、ハブ８２とを有している。
【００２４】
カテーテルチューブ８１は、可撓性を有する長尺なチューブである。このカテーテルチューブ８１は、患者Ｐの鼻腔に挿入される。
【００２５】
ハブ８２は、カテーテルチューブ８１の基端部に設けられている。ハブ８２は、検査器具１のケーシング３に接続される。これにより、ハブ８２を介してカテーテルチューブ８１とケーシング３とが連通する。また、ハブ８２は、図１に示す構成では分岐部８２１が突出して形成されたものとなっているが、これに限定されず、分岐部８２１が省略されたものであってもよい。
【００２６】
また、吸引器９としては、特に限定されず、例えば、壁掛式吸引器（例えば新鋭工業社製「ＷＳ−１４００」や「Ｖ−１５００」）等を用いることができる。吸引器９は、チューブ９１を介して、ケーシング３に接続される。
【００２７】
次に、検査器具１について説明する。前述したように、検査器具１は、担持体２と、担持体２を収納するケーシング３とを備えている。
【００２８】
担持体２は、胃の内容物Ｑ１およびその由来物Ｑ２と反応する成分が担持されたものである。本実施形態では、担持体２は、患者Ｐの胃から食道を通って逆流してきた内容物Ｑ１と反応する第１成分と、内容物Ｑ１の一部が分解された由来物Ｑ２と反応する第２成分とを担持したものである。
【００２９】
前述したように、患者Ｐは、胃瘻により栄養剤が投与されている。そのため、内容物Ｑ１には、栄養剤が含まれている場合が多くある。栄養剤は、糖分を含んでおり、第１成分は、この糖分（ブドウ糖）に反応する、すなわち、糖分を分解する酵素である。この酵素としては、特に限定されず、例えば、グルコースオキシターゼ、ペルオキシターゼ等が挙げられ、これらのうちの少なくとも１つが担持体２に担持されている。
【００３０】
また、第２成分は、第１成分によって分解された糖分、すなわち、由来物Ｑ２に反応して呈色する色素である。この色素としては、オルトトリジン等が挙げられる。そして、この呈色反応を視認できた場合には、患者Ｐに栄養剤の胃食道逆流が発生していることを把握することができる。
【００３１】
図３に示すように、担持体２は、円形のシートで構成されている。この担持体２の直径は、特に限定されないが、例えば、５ｍｍ以上５０ｍｍ以下であるのが好ましく、１０ｍｍ以上３０ｍｍ以下であるのがより好ましい。また、この担持体２の厚さは、特に限定されないが、例えば、０．２ｍｍ以上２ｍｍ以下であるのが好ましく、０．３ｍｍ以上１ｍｍ以下であるのがより好ましい。
【００３２】
図３に示すように、担持体２は、その中心から偏心した位置に、厚さ方向に貫通して形成された貫通孔２１を有している。流入口４２からの内容物Ｑ１は、貫通孔２１を通過して、担持体２の上面側に供給される。
【００３３】
また、担持体２自体は、例えば、紙材、または、織布や不織布等のような布材で構成されているのが好ましい。これにより、第１成分や第２成分を吸収して、確実に担持することができる。
【００３４】
図２、図３に示すように、ケーシング３は、下側に位置する第１部材４と、上側に位置する第２部材５とを備えている。
【００３５】
第１部材４は、円盤状をなす円盤状部４１と、円盤状部４１の下面４１２に突出形成され、ケーシング３内に内容物Ｑ１が流入する流入口４２とを有している。
【００３６】
円盤状部４１の上面４１１には、リブ４３が突出形成されている。リブ４３は、第１部材４が第２部材５と超音波溶着される際の溶着しろとして用いられる。また、リブ４３は、円盤状部４１と同心円状に形成されている。リブ４３の内側の直径は、担持体２の直径よりも大きい。
【００３７】
また、リブ４３の横断面形状は、山状をなしており、溶着される前の高さとしては、特に限定されず、例えば、０．３ｍｍ以上２ｍｍ以下であるのが好ましく、０．５ｍｍ以上１ｍｍ以下であるのがより好ましい。
【００３８】
円盤状部４１の下面４１２には、流入口４２が下方に向かって管状に突出形成されている。この流入口４２は、円盤状部４１の中心から偏心した位置に配置されている。また、流入口４２は、円盤状部４１の上面４１１に開口している。
【００３９】
図１に示すように、流入口４２には、カテーテル８、すなわち、ハブ８２を介してカテーテルチューブ８１を接続することができる。これにより、流入口４２に、患者Ｐからの内容物Ｑ１等を含む被吸引物が流入することができる。
【００４０】
また、流入口４２の外周部は、外径が下方に向かって漸減したテーパ状をなすのが好ましい。これにより、流入口４２とハブ８２との接続操作を容易に行うことができる。
【００４１】
図２、図３に示すように、第２部材５は、第１部材４と組み立てられてケーシング３となる部材である。第２部材５は、円盤状をなす円盤状部５１と、円盤状部５１の上面５１１に突出形成され、流入口４２から流入してきた内容物Ｑ１等が流出する流出口５２を有している。
【００４２】
円盤状部５１は、後述する溝で構成された迂回路５６等を形成する分、第１部材４の円盤状部４１よりも厚い。
【００４３】
図４に示すように、円盤状部５１の下面５１２には、円盤状部５１と同心円状をなす溶着用溝５３が形成されている。図２に示すように、溶着用溝５３は、第１部材４と第２部材５とが超音波溶着される際に、第１部材４のリブ４３が入り込んで溶着される部分である。
【００４４】
溶着用溝５３の深さは、第１部材４と第２部材５とが溶着される前のリブ４３の高さよりも小さい。例えば、溶着用溝５３の深さは、リブ４３の前記高さよりも０．１ｍｍ以上１ｍｍ以下程度小さいのが好ましく、０．２ｍｍ以上０．５ｍｍ以下程度小さいのがより好ましい。これにより、超音波溶着時にリブ４３の頂部が優先的に溶融して潰れて、第１部材４と第２部材５とが確実に組み立てられる。また、この組立状態の第１部材４と第２部材５とが分解するのが防止される。
【００４５】
なお、円盤状部４１および円盤状部５１の直径は、特に限定されないが、それぞれ、５ｍｍ以上５０ｍｍ以下であるのが好ましく、１０ｍｍ以上３０ｍｍ以下であるのがより好ましい。
【００４６】
円盤状部５１の上面５１１には、流出口５２が上方に向かって管状に突出形成されている。この流出口５２は、円盤状部５１の下面５１２に開口している。
【００４７】
図２に示すように、流出口５２は、流入口４２の配置とは異なり、円盤状部５１の中心に位置に配置されている。すなわち、流出口５２は、その中心軸Ｏ５２が流入口４２の中心軸Ｏ４２とズレて配置されている。これにより、流入口４２から流出口５２までの迂回路５６を設計する際、迂回路５６の長さを十分確保することができ、また、平面視での迂回路５６の形状、すなわち、形成ルート（経路）の自由度も高まる。
【００４８】
図１に示すように、流出口５２には、チューブ９１を介して、吸引器９を接続することができる。これにより、流出口５２からは、担持体２中の成分と反応した内容物Ｑ１等を含む被吸引物が流出することができる。
【００４９】
また、流出口５２の外周部は、外径が上方に向かって漸減したテーパ状をなすのが好ましい。これにより、流出口５２とチューブ９１との接続操作を容易に行うことができる。
【００５０】
また、流入口４２および流出口５２の内径は、特に限定されないが、それぞれ、１ｍｍ以上５ｍｍ以下であるのが好ましく、２ｍｍ以上３．５ｍｍ以下であるのがより好ましい。
【００５１】
図２、図４に示すように、円盤状部５１の下面５１２には、溶着用溝５３よりも内側に、凹部で構成され、担持体２が設置される担持体設置部５４が形成されている。担持体設置部５４の平面視の形状は、担持体２の直径よりも大きい円形をなす。
【００５２】
また、担持体設置部５４の深さは、担持体２の厚さよりも大きいのが好ましい。これにより、担持体２と第１部材４との間に間隙１１が形成される。間隙１１の大きさとしては、特に限定されず、例えば、０．１ｍｍ以上２ｍｍ以下であるのが好ましく、０．２ｍｍ以上０．８ｍｍ以下であるのがより好ましい。
【００５３】
担持体設置部５４内には、内容物Ｑ１等が流入口４２から流出口５２に到る間に担持体２に接しつつ迂回する迂回路５６と、ケーシング３内での担持体２の位置を規制する位置決め部５５とが設けられている。ここで、「迂回」とは、内容物Ｑ１等が流入口４２から流出口５２に最短で到達しないことを言う。
【００５４】
図４に示すように、迂回路５６は、内容物Ｑ１等が流出口５２に向かって通過する溝で構成された流路であり、内容物Ｑ１等の通過が開始される始点５６１と、内容物Ｑ１等の通過が終了する終点５６２とを有している。始点５６１は、貫通孔２１を介して、流入口４２に臨んで連通している。一方、終点５６２は、流出口５２に直接的に臨んで連通している。これにより、平面視での始点５６１と終点５６２との位置関係は、始点５６１が外側、終点５６２が内側となる。このような位置関係により、迂回路５６は、検査器具１の平面視で、外側から内側に向かった渦巻き状をなす。特に、本実施形態では、迂回路５６は、流出口５２を中心とする円弧状に湾曲した湾曲部５６３と、湾曲部５６３に連通し、外側から内側に向かった直線状をなす直線部５６４とを有する形状となる。湾曲部５６３は、始点５６１を含んでおり、直線部５６４は、終点５６２を含んでいる。なお、湾曲部５６３は、図４に示す構成では流出口５２回りにほぼ７／８周分だけ形成されているが、その形成長さは、特に限定されず、流出口５２回りに少なくとも１／８周あればよい。
【００５５】
そして、吸引器９により吸引作業を行った際には、その吸引力が患者Ｐにまで作用して、痰等を含む被吸引物が流入口４２から入り、流出口５２から出ていく。また、この過程の途中では、迂回路５６により、当該被吸引物と担持体２との接触面積および接触時間を十分に確保することができる。これにより、図３に示すように、当該被吸引物に内容物Ｑ１が含まれている場合、内容物Ｑ１中の糖分の一部または全部は、第１成分に接して分解され、由来物Ｑ２となる。また、由来物Ｑ２の一部または全部は、第２成分に接する。これにより、当該被吸引物が迂回路５６を通過した軌跡に沿って、第２成分に呈色反応が十分に生じて、この呈色反応を観察することができ、よって、胃食道逆流が発生していることを発見することができる。
【００５６】
以上のように、検査器具１を用いることにより、通常の痰吸引操作を兼ねて、胃食道逆流の検査を正確かつ迅速に行なうことができる。また、この検査は、カテーテル８に検査器具１を配置したのみの簡単な構成となっているため、安価なものとなっている。
【００５７】
前述したように、迂回路５６は、溝で構成されている。この場合、迂回路５６の幅は、本実施形態では迂回路５６の形成方向に沿って一定となっているが、これに限定されず、迂回路５６の形成方向の途中が変化していてもよい。なお、迂回路５６の幅は、特に限定されないが、例えば、１ｍｍ以上５ｍｍ以下であるのが好ましく、２ｍｍ以上３．５ｍｍ以下であるのがより好ましい。
【００５８】
また、迂回路５６の深さは、本実施形態では迂回路５６の形成方向に沿って一定となっているが、これに限定されず、迂回路５６の形成方向の途中が変化していてもよい。なお、迂回路５６の深さは、特に限定されないが、例えば、１ｍｍ以上５ｍｍ以下であるのが好ましく、１．５ｍｍ以上３ｍｍ以下であるのがより好ましい。
【００５９】
図２、図３に示すように、位置決め部５５は、担持体２の貫通孔２１に上側から挿入され、貫通孔２１に係合する突出部で構成されている。この係合により、ケーシング３内での担持体２の位置が規制され、よって、迂回路５６を通過する内容物Ｑ１等が担持体２と確実に接触することができる。
【００６０】
また、位置決め部５５は、第１部材４の上面４１１に開口している流入口４２と同心的に形成されたリング状の凹部４４に嵌まり込むことができる。これにより、第１部材４と第２部材５との位置関係も規制することができ、よって、始点５６１が流入口４２に確実に臨んだ状態となる。これにより、内容物Ｑ１等が流入口４２から迂回路５６に向かって円滑に流下することができる。
【００６１】
なお、位置決め部５５と凹部４４とは、できる限り接触しない方が好ましい。これにより、第１部材４と第２部材５とを超音波溶着する際、その振動が抑制されるのが防止され、よって、これら部材同士の溶着を十分に行うことができる。
【００６２】
図４に示すように、位置決め部５５は、平面視で円弧状をなし、その開口方向が迂回路５６の始点５６１側に向かっている。これにより、流入口４２からの内容物Ｑ１等を迂回路５６に向かわせることができる。
【００６３】
なお、第１部材４および第２部材５の構成材料としては、特に限定されず、例えば、担持体２の変色（呈色反応）をより確実に視認することができるという点で、ＰＳ、ＰＣ、ＡＢＳ等の非晶性樹脂を用いるのが好ましい。
【００６４】
また、第１部材４および第２部材５のうち、少なくとも迂回路５６を有する方の部材、すなわち、第２部材５は、内部の視認性を有する程度に透明であるのが好ましい。担持体２では、迂回路５６側の方が、内容物Ｑ１等と接触する分、迂回路５６と反対側よりも呈色反応が顕著に現れる傾向にある。そのため、迂回路５６を有する第２部材５が透明であることにより、担持体２における呈色反応を容易に視認することができる。これにより、胃食道逆流の迅速な検査が可能となる。
【００６５】
また、第１部材４の色は、呈色反応後の担持体２の色と同系色であるのが好ましい。これにより、胃食道逆流の検査結果を判断する際、その判断の補助となり得る。
【００６６】
＜第２実施形態＞
図５は、本発明の検査器具（第２実施形態）が備える第２部材を内側から見た概略平面図である。
【００６７】
以下、この図を参照して本発明の検査器具の第２実施形態について説明するが、前述した実施形態との相違点を中心に説明し、同様の事項はその説明を省略する。
本実施形態は、迂回路の形状が異なること以外は前記第１実施形態と同様である。
【００６８】
図５に示すように、本実施形態では、迂回路５６は、平面視で、蛇行した形状をなし、本実施形態では、サインカーブに近似した形状をなす。このような形状の迂回路５６によっても、患者Ｐからの被吸引物と担持体２との接触面積および接触時間を十分に確保することができ、よって、胃食道逆流の早期発見に寄与する。
【００６９】
以上、本発明の検査器具を図示の実施形態について説明したが、本発明は、これに限定されるものではなく、検査器具を構成する各部は、同様の機能を発揮し得る任意の構成のものと置換することができる。また、任意の構成物が付加されていてもよい。
【００７０】
また、本発明の検査器具は、前記各実施形態のうちの、任意の２以上の構成（特徴）を組み合わせたものであってもよい。
【００７１】
なお、本発明の検査器具は、胃の内容物に含まれる胃酸の量、すなわち、ｐＨ値に基づいて、胃食道逆流の程度を把握するよう構成されていてもよい。
【００７２】
また、担持体は、胃の内容物と反応する第１成分と、内容物の由来物と反応する第２成分とを担持しものとなっているが、これに限定されない。例えば、担持体は、第２成分が省略されたものであってもよいし、内容物および由来物の双方と反応する成分が担持されたものであってもよい。
【００７３】
また、担持体は、呈色反応によって、例えば、文字、記号、図柄等が浮かび上がるよう構成されていてもよい。
【００７４】
また、検査器具では、第１部材および第２部材のうち、前記各実施形態では第２部材に迂回路が形成されているが、これに限定されず、第１部材に迂回路が形成されていてもよいし、第１部材および第２部材の双方に迂回路が形成されていてもよい。
【００７５】
また、検査器具では、第１部材および第２部材のうち、前記各実施形態では第２部材に位置決め部が形成されているが、これに限定されず、第１部材に位置決め部が形成されていてもよいし、第１部材および第２部材の双方に位置決め部が形成されていてもよい。
【００７６】
また、検査器具は、経鼻吸引を行なうよう構成されたものとなっているが、これに限定されず、例えば、経口吸引を行なうよう構成されたものであってもよい。
【符号の説明】
【００７７】
１            検査器具
２            担持体
２１          貫通孔
３            ケーシング
４            第１部材
４１          円盤状部
４１１        上面
４１２        下面
４２          流入口
４３          リブ
４４          凹部
５            第２部材
５１          円盤状部
５１１        上面
５１２        下面
５２          流出口
５３          溶着用溝
５４          担持体設置部
５５          位置決め部
５６          迂回路
５６１        始点
５６２        終点
５６３        湾曲部
５６４        直線部
８            カテーテル
８１          カテーテルチューブ
８２          ハブ
８２１        分岐部
９            吸引器
９１          チューブ
１１          間隙
Ｏ４２、Ｏ５２  中心軸
Ｐ            患者
Ｑ１          内容物
Ｑ２          由来物
【図１】
2020048781.tif 000003
【図２】
2020048781.tif 000004
【図３】
2020048781.tif 000005
【図４】
2020048781.tif 000006
【図５】
2020048781.tif 000007